(57)【要約】  【課題】  はさみ、カッターナイフ等の工具を用いることなく手で容易に切り取り部分を切り取ることができる菊割れフタを提供すること。  【解決手段】  環状枠部３と菊割れ状の底部４とを有し、この環状枠部３を介して流しの排水口２の上部に設けられる菊割れフタ１において、前記環状枠部３は、縦断面略くし型形状をなし、同心円状で下向きに形成された環状溝２０，２１を介して隣接している複数のリング部リング部を有し、また、前記各環状溝２０，２１の底部３０，３１に連なる切り取り部分Ｎ，Ｍを有し、更に、前記底部３０，３１が先細りのテーパ形状をなす。  【選択図】  図１                                                              
2005036605.tif 000002
【特許請求の範囲】
【請求項１】
環状枠部と菊割れ状の底部とを有し、この環状枠部を介して流しの排水口の上部に設けられる菊割れフタにおいて、前記環状枠部は、縦断面略くし型形状をなし、同心円状で下向きに形成された環状溝を介して隣接している複数のリング部を有し、また、前記各環状溝の底部に連なる切り取り部分を有し、更に、前記底部が先細りのテーパ形状をなすことを特徴とする菊割れフタ。  
【請求項２】
前記切り取り部分は、前記環状溝と前記環状枠部の上面に形成された環状溝との間に形成される請求項１に記載の菊割れフタ。  
【請求項３】
前記複数のリング部は、前記菊割れ状の底部に連設する下面部を有する最も内側のリング部と、このリング部よりも外側に位置して前記切り取り部分を介して切り取り可能な複数のリング部とよりなり、切り取られる前記各リング部は、切り始めの目安となる逆Ｖ型の切欠を周面に有するとともに、前記各逆Ｖ型の切欠は、重ならない位置に設けられている請求項１または請求項２に記載の菊割れフタ。  
【発明の詳細な説明】
【技術分野】
【０００１】
この発明は、流しのシンクに用いられる菊割れフタに関する。
【背景技術】
【０００２】
本出願人は、流しの排水口の上部にはめ込まれて使用される菊割れフタとして、図６、図７に示すものを提案している（特願２００２−２０４７４６号明細書・図面参照）。図６、図７において、菊割れフタ７０は、ゴム製で、平面視円形の上方開口７１を形成する内周面ｉを有する環状枠部７２と、平面視円形の菊割れ状の底部７３とより主としてなり、底部７３は、環状枠部７２の内周面ｉから連設された複数の菊割れ舌片７４で構成されている。
【０００３】
また、排水口の大きさに適合するサイズに切り取られるよう、環状枠部７２には、同心円状で下向きに形成された例えば二つの環状溝７５，７６を介して隣接している三つのリング部７７，７８，７９が備えられている。リング部７７は、菊割れ状の底部７３に連設する下面部７９を有する最も内側のリング部であり、また、残りふたつのリング部７８，７９は、リング部７７よりも外側に位置してそれぞれ切り取り部分ａ，ｂを介して切り取り可能なリング部である。
【発明の開示】
【発明が解決しようとする課題】
【０００４】
ところで、前記切り取り部分ａは、外側の環状溝７５と環状枠部７２の上面７２ａに形成された環状溝８０との間に形成されており、また、前記切り取り部分ｂは、内側の環状溝７６と環状枠部７２の上面７２ａに形成された環状溝８１との間に形成されているけれども、切り取り部分ａ，ｂは縦方向に分厚く形成されているので、手でリング部７９，７８を剥がすときに切り難くかったり、例えば切り取り部分ａを切り取ったとしても、内側のリング部７８の外周面に切り取られなかったゴムが残ったりする。そのため、はさみ、カッターナイフ等の工具が必要となる。
【０００５】
この発明は、上述の事柄に留意してなされたもので、その目的は、はさみ、カッターナイフ等の工具を用いることなく手で容易に切り取り部分を切り取ることができる菊割れフタを提供することである。
【課題を解決するための手段】
【０００６】
上記目的を達成するために、この発明の菊割れフタは、環状枠部と菊割れ状の底部とを有し、この環状枠部を介して流しの排水口の上部に設けられる菊割れフタにおいて、前記環状枠部は、縦断面略くし型形状をなし、同心円状で下向きに形成された環状溝を介して隣接している複数のリング部を有し、また、前記各環状溝の底部に連なる切り取り部分を有し、更に、前記底部が先細りのテーパ形状をなすことを特徴としている。
【発明の効果】
【０００７】
この発明では、環状枠部の複数のリング部を同心円状で下向きに形成された環状溝を介して隣接させるとともに、前記各環状溝の底部を先細りのテーパ形状にして前記底部に連なる切り取り部分を形成したので、従来の切り取り部分に比して縦方向に薄肉な切り取り部分を得ることができ、それによって、前記切り取り部分を、はさみ、カッターナイフ等の工具を用いることなく手で容易に切り取ることができる。
【発明を実施するための最良の形態】
【０００８】
以下、この発明の実施形態を、図を参照しながら説明する。なお、それによってこの発明は限定されるものではない。
【０００９】
図１〜図５は、この発明の一実施形態を示す。なお、図３は、菊割れフタを示すが、正面向かって右側にその上面図が、正面向かって左側にその下面図が示されている。
図１〜図５において、１は、流しの排水口２の上部２ａにはめ込まれて使用される菊割れフタで、流しの排水口２の菊割れフタ直下にゴミ受けカゴＢが設置されている。
【００１０】
菊割れフタ１は、平面視円形の上方開口３ａを形成する内周面ｉを有する環状枠部３と、平面視円形の菊割れ状の底部４とより主としてなる。底部４は、環状枠部３の内周面ｉから連設された複数の菊割れ舌片５で構成される。前記環状枠部３は、上面の内側と外側に形成された環状溝２８，２９を有する。
【００１１】
前記環状枠部３の内周面ｉは、垂直面ではなく、下へ行くほど小径になるよう傾斜するテーパ面に形成されている。前記底部４は、中心部分に丸孔７を有するとともに、ゴミ受けカゴＢに連通する複数の排水用長孔８を、丸孔７から離れた内周面ｉの側に円周方向に沿った状態で有する。前記排水用長孔８は、円周方向よりも径方向に長い。
【００１２】
９は、上方開口３ａを覆うよう菊割れフタ１の底部４上に着脱自在に設置される樹脂製の蓋である。蓋９は、平面視円形の蓋天板１１と、蓋天板１１の外周縁１１ａから下方に連設された環状の垂下板１２とで構成される。この垂下板１２の外周面は、蓋９が菊割れフタ１の底部４上に設置されるときに、環状枠部３の内周面ｉにシール可能に嵌込まれるよう下へ行くほど小径になるよう傾斜するテーパ面に形成されている。そのため、底部４に設けた前記排水用長孔８および丸孔７へ排水が漏れるのを防止でき、流しのシンクＡに水、湯または混合水を溜めることができる。
【００１３】
前記環状枠部３は、縦断面略くし型形状をなし、同心円状で下向きに形成された例えば二つの環状溝２０，２１を介して隣接している三つのリング部２２，２３，２４を有する。この三つのリング部２２，２３，２４によって、流しの排水口２の径が三種類（例えばΦ１５０ｍｍ，Φ１４２ｍｍ，Φ１３４ｍｍ）ある場合に対応できる。なお、この発明では、環状枠部３が四つ以上のリング部を有する場合にも適用できる。環状溝２０，２１は環状枠部３の上面に形成された前記環状溝２８，２９の深さに比して数十倍深く形成されている。また、前記環状溝２０と環状溝２１は縦断面同一形状をなす。
【００１４】
そして、前記環状溝２１と前記環状枠部３の上面内側に形成された前記環状溝２８との間には環状溝２１の底部３１に連なる切り取り部分Ｍが形成されている。また、前記環状溝２０と前記環状枠部３の上面外側に形成された前記環状溝２９との間には環状溝２０の底部３０に連なる切り取り部分Ｎが形成されている。
【００１５】
三つのリング部２２，２３，２４のうち、最も内側のリング部２４は、菊割れ状の底部４に連設する下面部２５を有する。そして、流しの排水口２の径がΦ１５０ｍｍである場合は、切り取り部分ＭおよびＮを切り取ることなく菊割れフタ１を流しの排水口２の上部２ａにはめ込むことができる。また、流しの排水口２の径がΦ１４２ｍｍである場合は、切り取り部分Ｎを切り取ることで菊割れフタ１の外径を流しの排水口２の径に適合させ、環状枠部３がリング部２３，２４の菊割れフタ１を流しの排水口２の上部２ａにはめ込むことができる。更に、流しの排水口２の径がΦ１３４ｍｍである場合は、まず、切り取り部分Ｎを切り取り、続いて、切り取り部分Ｎを順次切り取るか、または、リング部２３にリング部２２が付いた状態で切り取り部分Ｎだけを切り取るかして、菊割れフタ１の外径を流しの排水口２の径に適合させ、環状枠部３がリング部２４のみの菊割れフタ１を流しの排水口２の上部２ａにはめ込むことができる。
【００１６】
以下この発明の特徴的構成について説明する。
【００１７】
上述したように、前記環状溝２０と環状溝２１は縦断面同一形状をなしている。例えば前記環状溝２０の前記底部３０は、上方に向かって外側から内側に傾斜しながら切り取り部分Ｎに至る先細りのテーパ形状をなしている。すなわち、前記環状溝２０は、縦断面略矩形に形成された下向き開口部分３２とこれに連なる縦断面略直角三角形に形成された前記底部３０とよりなる。つまり、前記底部３０は、上方に向かって外側から内側に傾斜しながら切り取り部分Ｎに至るテーパ面３０ａを有する。そのため、前記切り取り部分Ｎは、縦方向（上下方向）に薄肉に形成されうる。
【００１８】
また、前記環状溝２１の前記底部３１は、上方に向かって外側から内側に傾斜しながら切り取り部分Ｍに至る先細りのテーパ形状をなしている。すなわち、前記環状溝２１は、縦断面略矩形に形成された下向き開口部分３３とこれに連なる縦断面略直角三角形に形成された前記底部３１とよりなる。つまり、前記底部３１は、上方に向かって外側から内側に傾斜しながら切り取り部分Ｍに至るテーパ面３１ａを有する。そのため、前記切り取り部分Ｍは、縦方向（上下方向）に薄肉に形成されうる。
【００１９】
よって、前記切り取り部分Ｍ，Ｎを、はさみ、カッターナイフ等の工具を用いることなく手で容易に切り取ることができる。
【００２０】
前記切り取られる各リング部２２，２３は、切り始めの目安となる逆Ｖ型の切欠３３，３４を周面に有する。前記各逆Ｖ型の切欠３３，３４は、重ならない位置に設けられている。というのは、仮に、逆Ｖ型の切欠３３，３４を重なる位置に設けると、一周分のリング部２２だけ剥がすつもりであったのに一度にリング部２２，２３の二周分が切れてしまうおそれがあるからである。
【００２１】
なお、切り取り部分Ｎに至る底部３０のテーパ面を、上方に向かって内側から外側に傾斜させてもよく、また、切り取り部分Ｍに至る底部３１のテーパ面を、上方に向かって内側から外側に傾斜させてもよい。
【図面の簡単な説明】
【００２２】
【図１】この発明の一実施形態における使用状態を示す構成説明図である。
【図２】前記実施形態における要部構成説明図である。
【図３】前記実施形態を示し、正面向かって右側にその上面図が、正面向かって左側にその下面図が示されている。
【図４】前記実施形態における使用状態を示す分解斜視図である。
【図５】（Ａ）は、前記実施形態で用いた蓋を示す平面図である。（Ｂ）は、前記実施形態で用いた蓋を示す側面図である。
【図６】先行技術を示す説明図である。
【図７】先行技術を示す一部縦断正面図である。
【符号の説明】
【００２３】
１  菊割れフタ
２  排水口
３  環状枠部
４  底部
２０，２１  環状溝
２２〜２３  リング部
３０，３１  底部  
３０ａ，３１ａ  テーパ面
Ｎ，Ｍ  切り取り部分
【図１】
2005036605.tif 000003
【図２】
2005036605.tif 000004
【図３】
2005036605.tif 000005
【図４】
2005036605.tif 000006
【図５】
2005036605.tif 000007
【図６】
2005036605.tif 000008
【図７】
2005036605.tif 000009